(57)【要約】【課題】ポンプ機構のヘッド部の変更を容易に可能とするようにした吐出容器用の吐出ポンプのヘッド部側モジュールを提案する。【解決手段】吐出ポンプのヘッド部側モジュールであって、装着筒６上端から内向きフランジ８を介して連係筒１０を起立する装着キャップ４と、中心部に貫通孔２０を有する天板１８の外側から外周壁２４を垂下し、その天板１８の裏面側に、第１嵌合条２８と第２嵌合条３０とを周設してなり、この第２嵌合条３０に装着キャップ４の連係筒１０の上部を遊嵌させたカバーリング１６と、頂板３８の外側から外筒４０を、貫通孔２０上方の頂板裏面部分から第１の連通管４２をそれぞれ垂下するとともに、この第１の連通管４２と連通させて、外筒４０からノズル４４を前方へ突出してなり、外筒４０をカバーリング１６の外周壁２４の外面へ嵌着させた押下げヘッド３６とを有する。【選択図】図１
2011025998.tif 000002
【特許請求の範囲】
【請求項１】
容器体装着用のポンプ部側及びヘッド部側の２つのモジュールからなる吐出ポンプのうちのヘッド部側モジュールであって、
容器体口頸部の外面への嵌合用の装着筒６の上端から内向きフランジ８を介して連係筒１０を起立した装着キャップ４と、
中心部に貫通孔２０を開口する天板１８の外側から外周壁２４を垂下するとともに、その天板１８の裏面側に、内側の第１嵌合条２８と外側の第２嵌合条３０とを内外２重に周設し、かつ第２嵌合条３０に上記連係筒１０を回動自在に嵌合させたカバーリング１６と、
頂板３８の外側から外筒４０を、また上記貫通孔２０上方の頂板裏面部分から第１の連通管４２を、それぞれ垂下するとともに、この第１の連通管４２と連通させて、上記外筒４０からノズル４４を前方へ突出してなり、上記外筒４０をカバーリング１６の外周壁２４の外面へ着脱自在に嵌着させた押下げヘッド３７とを具備し、
上記カバーリング１６の第１嵌合条２８を、ポンプ部側モジュールが有するポンプシリンダの上端部へ、また押下げヘッド３７の第１の連通管４２を、ポンプ部側モジュールのステム兼用の第２の連通管へ、ヘッド部側モジュールの押下げにより、それぞれ嵌め込み可能に構成したことを特徴とする、吐出容器用の吐出ポンプのヘッド部側モジュール。
【請求項２】
上記第１嵌合条２８及び第２嵌合条３０を、天板１８の裏面から垂下される中間周壁２６で区分される内外２重の嵌合条溝に形成し、その第２嵌合条３０と連係筒との対向周面に、相互に係止して連係筒１０の抜け落ちを防止する第２係合条３４及び第１係合条１１を周設してなることを特徴とする、請求項１記載の吐出容器用の吐出ポンプのヘッド部側モジュール。
【請求項３】
上記外周壁２４の下端から外周壁よりも大内径の縦筒３３を垂下して、これら外周壁２４及び縦筒３３の各内面と上記中間周壁の外面とで第２嵌合条３０を画成するとともに、連係筒１０の上部を上記外周壁２４の内面に周方向への摺動可能に嵌合させ、
上記連係筒１０の下部と縦筒３３とに、相互に係合して連係筒１０を係止するための第２係合条３４及び第１係合条１１を形成したことを特徴とする、請求項２記載の吐出容器用の吐出ポンプのヘッド部側モジュール。
【請求項４】
上記外周壁２４の下端から外向きフランジ２５ａを介して拡径筒２５を垂下して、これら外周壁２４及び拡径筒２５の各内面と、中間周壁２６の外面とで第２嵌合条３０を画成するとともに、上記連係筒１０を、上記外周壁２４の内面に嵌合する内筒１０Ａと、上記拡径筒の内面に嵌合する外筒１０Ｂとの２重筒として形成し、
上記外筒１０Ｂと拡径筒２５とに、相互に係合して連係筒１０を係止するための第２係合条３４及び第１係合条１１を形成したことを特徴とする、請求項２記載の吐出容器用の吐出ポンプのヘッド部側モジュール。
【請求項５】
上記カバーリング１６の外周壁２４の下部から内外２重筒を垂下するとともに、上記第２嵌合条３０を、カバーリング１６の天板１８裏面側に代えて上記２重筒内に、これら２重筒の内面で画成する嵌合凹溝として形成したことを特徴とする、請求項１記載の吐出容器用の吐出ポンプのヘッド部側モジュール。
【請求項６】
上記第２嵌合条３０を、カバーリング１６の天板１８裏面側に代えて上記外周壁の下側に、この外周壁の下部から下方へ延びる嵌合凸条として形成したことを特徴とする、請求項１記載の吐出容器用の吐出ポンプのヘッド部側モジュール。
【請求項７】
容器体装着用のポンプ部側のモジュールと請求項１から請求項６のいずれかに記載したヘッド部側モジュールとで構成した吐出ポンプであって、
上記ポンプ部側のモジュールは、
容器体内への挿入用の周壁の上部外面から鍔部５８を突出したポンプシリンダ５２と、
このポンプシリンダ５２内を摺動するピストン部６６からステム兼用の第２の連通管６８を起立した管状部材６４と、
上記ポンプシリンダ５２の下部に形成した吸込み弁５４と、
上記第２の連通管６８内の上部に形成した吐出弁７２と、
を具備し、
上記鍔部上方の筒壁部分と上記第２の連通管６８の上端部とを、ヘッド部側モジュールへの嵌挿代として略直筒形に形成するとともに、ポンプシリンダ５２内からピストン部６６が抜け出さないようにして、モジュール単独でポンプ機能を果たすようにしたことを特徴とする、ポンプ部側モジュール及びヘッド側モジュールで形成される吐出ポンプ。
【発明の詳細な説明】
【技術分野】
【０００１】
本発明は、吐出容器用の吐出ポンプのヘッド部側モジュール、並びにヘッド部側モジュール及びポンプ部側モジュールで構成される吐出ポンプに関する。
【背景技術】
【０００２】
従来、液体吐出容器用のポンプ機構として、上端部に鍔部を有するポンプシリンダ内からステムを起立し、このステムの上部にノズル付きの押下げヘッドを付設しており、さらに容器体口頸部への螺合用の装着筒の上端から、口頸部の上端面との間に鍔部を挟持するための内向きフランジを付設してなる装着キャップと、ステムの上部と内向きフランジとの間を覆うカバーリングを設けたものが知られている（特許文献１）。
【先行技術文献】
【特許文献】
【０００３】
【特許文献１】特許第３６５７３７８号
【発明の概要】
【発明が解決しようとする課題】
【０００４】
特許文献１の液体吐出用のポンプは、装着キャップ及びノズルヘッドなどのヘッド部の形状にバリエーションを持たせようとした場合に、ポンプ部のステムを装着キャップに挿通した上でカバーリングと組みつけてポンプを構成する機構としていたことから、ポンプ部からヘッド部側までの全構成を変更する必要があった。
こうした従来の問題点を解決するために、本出願人は、特願２００８−２５５６６９において、吐出ポンプのうちポンプ機構以外の異なるパーツ、すなわち装着キャップ・カバーリング・押下げヘッドを連結させて一つのモジュール（ヘッド部側モジュール）とし、ポンプ部側モジュールと組み合わせた後に上記連結を解除することを提案した。しかしながらその連結を解除する作業を省略できれば更に便利である。
【０００５】
本発明の第１の目的は、ポンプ機構のヘッド部の変更を容易に可能とするようにした吐出容器用の吐出ポンプのヘッド部側モジュールを提案することにある。
【０００６】
本発明の第２の目的は、ヘッド部側モジュールの各部材の連係を解除することなく、容易に容器体側に取り付けることが可能なヘッド部側モジュールを提案することである。
【０００７】
本発明の第３の目的は、上述のヘッド部側モジュール及びポンプ部側モジュールで構成される吐出ポンプを提案することにある。
【課題を解決するための手段】
【０００８】
第１の手段は、容器体装着用のポンプ部側及びヘッド部側の２つのモジュールからなる吐出ポンプのうちのヘッド部側モジュールであって、
容器体口頸部の外面への嵌合用の装着筒６の上端から内向きフランジ８を介して連係筒１０を起立した装着キャップ４と、
中心部に貫通孔２０を開口する天板１８の外側から外周壁２４を垂下するとともに、その天板１８の裏面側に、内側の第１嵌合条２８と外側の第２嵌合条３０とを内外２重に周設し、かつ第２嵌合条３０に上記連係筒１０を回動自在に嵌合させたカバーリング１６と、
頂板３８の外側から外筒４０を、また上記貫通孔２０上方の頂板裏面部分から第１の連通管４２を、それぞれ垂下するとともに、この第１の連通管４２と連通させて、上記外筒４０からノズル４４を前方へ突出してなり、上記外筒４０をカバーリング１６の外周壁２４の外面へ着脱自在に嵌着させた押下げヘッド３７とを具備し、
上記カバーリング１６の第１嵌合条２８を、ポンプ部側モジュールが有するポンプシリンダの上端部へ、また押下げヘッド３７の第１の連通管４２を、ポンプ部側モジュールのステム兼用の第２の連通管へ、ヘッド部側モジュールの押下げにより、それぞれ嵌め込み可能に構成している。
【０００９】
本手段では、吐出ポンプをポンプ部とヘッド部とに分け、ヘッド部に相当する装着キャップ、カバーリング、押下げヘッドの３パーツをモジュール化することを提案している。本明細書において、「モジュール」という用語は、相互に着脱できる独立した構成単位という程度の意味であり、「ヘッド部」は、容器体に吐出ポンプを取り付けるときの形態において吐出ポンプの頭部に相当する部分である。「ポンプ部」が全体として一つの機能を有するのに対して、「ヘッド部」を構成する各パーツの機能は別々である。換言すれば機能に拘らずに組付け時に形態上で近接する位置にある各パーツを連係させ、一つのモジュールとしている。この特長によれば、第１の連通管、嵌合条（溝）など、ポンプ部側モジュールと係り合う部分を各モジュール間で相対応する寸法、位置としておけば、それ以外の箇所は自由に設計することができる。これについてはさらに後述する。
【００１０】
「カバーリング」は、裏面に第１、第２の嵌合条を有し、モジュール化状態では、第２嵌合条に嵌合された連係筒を介して装着リングに連係されている。嵌合条は、一定方向（周方向）に延びた嵌合部分であり、筒壁の周面で形成してもよく、溝として形成してもよい。
【００１１】
「装着キャップ」は、容器の口頸部への嵌合（螺合）用の装着筒から内向きフランジを介して連係筒を起立している。連係筒は第２嵌合条に回動可能に遊嵌しており、連係状態を解除せずに装着キャップを容器の口頸部に簡単に取り付けることができる。
【００１２】
第２の手段は、第１の手段を有し、かつ上記第１嵌合条２８及び第２嵌合条３０を、天板１８の裏面から垂下される中間周壁２６で区分される内外２重の嵌合条溝に形成し、その第２嵌合条３０と連係筒との対向周面に、相互に係止して連係筒１０の抜け落ちを防止する第２係合条３４及び第１係合条１１を周設してなる。
【００１３】
本手段では、ヘッド部側モジュールのカバーリングの天板内側に、ポンプ部側モジュールを取り付けるための嵌合条溝（内溝）を周設している。これにより２つのモジュールを確実に接合できる。またカバーリングの天板外側に、別の嵌合条溝（外溝）を周設する。この嵌合条溝の外周面又は内周面の何れかに装着キャップの連係筒を嵌める。「係合条」については、凸状の係合条と凸状の係合条を組み合わせてもよく、凸状の係合条と凹状の係合条とを組み合わせてもよい。
【００１４】
第３の手段は、第２の手段を有し、かつ上記外周壁２４の下端から外周壁よりも大内径の縦筒３３を垂下して、これら外周壁２４及び縦筒３３の各内面と上記中間周壁の外面とで第２嵌合条３０を画成するとともに、連係筒１０の上部を上記外周壁２４の内面に周方向への摺動可能に嵌合させ、上記連係筒１０の下部と縦筒３３とに、相互に係合して連係筒１０を係止するための第２係合条３４及び第１係合条１１を形成している。
【００１５】
本手段では、装着キャップの連係筒を、外周壁に対して周方向に摺動する作用を有する上部と、縦筒に対して係止する作用を有する下部の２つの部分に分けて、各作用を適切に発揮できるようにしている。また、好適な図１の例では、連係筒の動きに周方向だけでなく上下方向にも自由度があるため、連結筒を省略した構造と同じように口頸部に装着筒を取り付けることができる。
【００１６】
第４の手段は、第２の手段を有し、かつ
上記外周壁２４の下端から外向きフランジ２５ａを介して拡径筒２５を垂下して、これら外周壁２４及び拡径筒２５の各内面と、中間周壁２６の外面とで第２嵌合条３０を画成するとともに、上記連係筒１０を、上記外周壁２４の内面に嵌合する内筒１０Ａと、上記拡径筒の内面に嵌合する外筒１０Ｂとの２重筒として形成し、
上記外筒１０Ｂと拡径筒２５とに、相互に係合して連係筒１０を係止するための第２係合条３４及び第１係合条１１を形成している。
【００１７】
本手段では、連係筒を内外２重筒に形成することを提案している。内筒及び外筒がそれぞれガイドリング側に嵌合しているから、ガイドリングに装着キャップをしっかりと組み付けることができる。
【００１８】
第５の手段は、第１の手段を有し、かつ
上記カバーリング１６の外周壁２４の下部から内外２重筒を垂下するとともに、上記第２嵌合条３０を、カバーリング１６の天板１８裏面側に代えて上記２重筒内に、これら２重筒の内面で画成する嵌合凹溝として形成した。
【００１９】
本手段は、図１０に示す如く、カバーリングの外周壁から垂下する２重筒の内部に、第２嵌合条である嵌合凹溝を形成することを提案している。このように天板から離れた位置に第２嵌合条を設けた構成でも第１の手段と同様の作用・効果が得られる。
【００２０】
第６の手段は、第１の手段を有し、かつ
上記第２嵌合条３０を、カバーリング１６の天板１８裏面側に代えて上記外周壁の下側に、この外周壁の下部から下方へ延びる嵌合凸条として形成した。
【００２１】
本手段では、図１２及び図１４に示す如く、第２嵌合条を、外周壁の下部から下方へ延びる嵌合凸条に形成することを提案している。好適な図示例では、この嵌合凸条を外周壁の下端から下方へ延びる環状突条（縦筒）としているが、外周壁の周方向に間欠的に配置する複数の嵌合突片としても構わない。
【００２２】
第７の手段は、容器体装着用のポンプ部側のモジュールと第１の手段から第６の手段のいずれかに記載したヘッド部側モジュールとで構成した吐出ポンプであって、
上記ポンプ部側のモジュールは、
容器体内への挿入用の周壁の上部外面から鍔部５８を突出したポンプシリンダ５２と、
このポンプシリンダ５２内を摺動するピストン部６６からステム兼用の第２の連通管６８を起立した管状部材６４と、
上記ポンプシリンダ５２の下部に形成した吸込み弁５４と、
上記第２の連通管６８内の上部に形成した吐出弁７２と、
を具備し、
上記鍔部上方の筒壁部分と上記第２の連通管６８の上端部とを、ヘッド部側モジュールへの嵌挿代として略直筒形に形成するとともに、ポンプシリンダ５２内からピストン部６６が抜け出さないようにして、モジュール単独でポンプ機能を果たすようにしている。
【００２３】
本手段では、図７に示す如くポンプ部側モジュールとヘッド部側モジュールとで構成される吐出ポンプを提案している。ここで「ポンプ部」とは、少なくともポンプシリンダとピストンとを含み、かつピストンから起立するステム兼連通管を有するものとする。好適な図７の例では、第１係合条と第２係合条との係合を解除することなく、装着筒を容器体の口頸部に取り付けることができる。
【発明の効果】
【００２４】
第１の手段に係る発明によれば、次の効果を奏する。第１に、吐出ポンプのうち、装着キャップ、カバーリング、押下げヘッドの３パーツを１つのヘッド部としてモジュール化したから、このヘッド部の形状の設計を、ポンプ部の構造とは無関係に行うことができ、設計変更が容易となり、多品種少量生産にも対応し易い。第２に、装着キャップとカバーリングとを連係筒を介して連係したから、簡単な構造でモジュール化を実現することができる。第３に、カバーリングに対して連係筒を回動可能としたから、カバーリングとの連係を保ったままで、装着筒を容器の口頸部に装着することが容易である。
【００２５】
第２の手段に係る発明によれば、第２嵌合条３０と連係筒１０とに第１係合条１１及び第２係合条３４を周設したから、連係筒の抜け落ちを確実に防止できる。
【００２６】
第３の手段に係る発明によれば、連係筒１０の上部を外周壁２４に対して周方向への摺動自在に嵌合させたから、装着キャップ４に対してカバーリングを安定的に回動させることができる。
【００２７】
第４の手段に係る発明によれば、連係筒１０を内外２重の筒としてそれぞれガイドリン
グに嵌合したから、装着キャップにガイドリングをしっかりと組み付けることができる。
【００２８】
第５の手段に係る発明によれば、外周壁から垂下する２重筒の内部に第２嵌合条３０を形成したから、第１の手段と同様の効果を奏する。
【００２９】
第６の手段に係る発明によれば、第２嵌合条３０を外周壁から下方側へ垂下する嵌合凸条としたから、第１の手段と同様の効果を奏する。
【００３０】
第７の手段に係る発明によれば、ポンプ機構のうちポンプシリンダ及び管状部材からなるポンプ部をモジュール化し、かつポンプ機能を果すようにしたから、このポンプ部側モジュールのみを製造し、品質試験をすることができ、製品化の手間が大幅に簡素化される。
【図面の簡単な説明】
【００３１】
【図１】本発明の第１実施形態に係るヘッド部側モジュールの半縦断面図である。
【図２】図１のモジュールの部分拡大図である。
【図３】図１のモジュールの要部の装着キャップの平面図である。
【図４】図３の要部の半縦断面図である。
【図５】図１のモジュールの他の要部のカバーリングの半縦断面図である。
【図６】本実施形態に係るポンプ部側モジュールの半縦断面図である。
【図７】図１のヘッド部側モジュール及び図６のポンプ部側モジュールを合体させてなる吐出ポンプの半縦断面図である。
【図８】本発明の第２実施形態に係るヘッド部側モジュールの半縦断面図である。
【図９】図８のモジュールの部分拡大図である。
【図１０】本発明の第３実施形態に係るヘッド部側モジュールの半縦断面図である。
【図１１】図１０のモジュールの部分拡大図である。
【図１２】本発明の第４実施形態に係るヘッド部側モジュールの半縦断面図である。
【図１３】図１２のモジュールの部分拡大図である。
【図１４】本発明の第５実施形態に係るヘッド部側モジュールの半縦断面図である。
【図１５】図１４のモジュールの部分拡大図である。
【発明を実施するための最良の形態】
【００３２】
以下、図面に基づいて本発明の第１実施形態に係るヘッド部側モジュールと、ポンプ部側モジュールと、両モジュールによって構築される吐出ポンプとを説明する。
【００３３】
図１から図５は、ヘッド部側モジュールの構成を示している。このヘッド部側モジュール２は、図１に示すように、装着キャップ４と、カバーリング１６と、押下げヘッド３７とで形成されている。これら各部材は合成樹脂で形成することができる。
【００３４】
上記装着キャップ４は、図４に示す如く容器体の口頸部外面への螺合用の装着筒６と、この装着筒の上端部に付設した内向きフランジ８と、この内向きフランジ８の内縁から起立する連係筒１０とで形成する。この連係筒１０は、装着筒６を後述のカバーリングに連係（連繋）するための第１係合条１１を有する。ここで「連係」とは、少なくとも装着キャップとカバーリングとが繋がっていれば足り、両者が回動及び上下動とした構造を含む。図示例では、図４に示すように連係筒１０の上半部を下半部に比べて大外径とし、これら下半部の外面と上半部の外面との間に凸状の第１係合条１１を付設している。しかしながら、この構造は適宜変更することができる。
【００３５】
上記カバーリング１６は、図５に示す如く、中央部に貫通孔２０を開口するリング状の天板１８を有する。図示例では、この天板１８の内縁から足の長い内周壁２２を、また、天板１８の外縁から足の短い外周壁２４をそれぞれ垂下している。そして内周壁２２の内面全体を貫通孔２０としている。また外周壁の外面にはネジ部を形成している。外周壁２４の下端からは、外向きフランジ２５ａを介して拡径筒２５を垂下している。また外周壁２４の下端部と外向きフランジ２５ａとの接合箇所からは、図１に示すように連係筒１０を係止するための縦筒３３を垂下している。この縦筒の構造に関しては後述する。外周壁２４と外向きフランジ２５ａと拡径筒２５とは、カバーリングの外郭を構成する部分であるため、所要の強度を確保するために一定の肉厚を与えている。他方、図示の縦筒３３は、外周壁２４に比べて薄肉に形成しており、連係筒１０を嵌め込むときに弾性拡開可能に形成している。縦筒３３の筒長は、拡径筒の筒長以下に形成するとよい。
【００３６】
上記カバーリング１６の天板１８の裏面側には、後述の図７に示す如くポンプ部側モジュールの上端部を取り付けるための内溝状の第１嵌合条２８と、上記装着キャップとの連係用の外溝状の第２嵌合条３０とを内外２重に周設している。図示例では、天板１８裏面のうち内周壁２２寄りの部分から筒状の補助壁３２を垂下し、また天板裏面のうち外周壁寄りの部分から中間周壁２６を垂下している。そして補助壁３２の外面と中間周壁２６の内面との間の空間を第１嵌合条２８とし、また中間周壁２６の外面と外周壁及び縦筒の各内面との間の空間を第２嵌合条３０としている。しかしながら、その構造は適宜変更することができる。中間周壁２６は補助壁３２との間にポンプ部側モジュールのポンプシリンダ上端部５２ａを挟持し、嵌着させるためのものである。しかしながら、中間周壁を省略して例えば補助壁３２の外周面を第１嵌合条２８とし、外周壁２４及び縦筒３３の各内面を第２嵌合条３０としてもよい。
【００３７】
この第２嵌合条３０内には、上記装着キャップの連係筒１０を回動可能に嵌挿している。この連係筒は、ポンプシリンダの上端部のように固嵌めする必要はなく、単に第２嵌合条３０内に遊嵌している。すなわち、第２嵌合条３０の内外周面のうちの一方（図示例では外周面）に嵌合するとともに、他方との間に隙間を設けており、カバーリング１６に対して装着筒６を回転させるときの摩擦抵抗を小さくしている。好適な図示例では、上記縦筒３３の内面には外周壁２４の下端との間に環状の凹所３５を存して凸状の第２係合条３４を周設している。そして上記凹所３５内に第１係合条１１を回動及び上下動可能に配置し、第１係合条１１の下面を第２係合条３４に係止することで第２嵌合条からの連係筒１０の脱落を防止している。しかしながら、連係筒１０の内周面に第１係合条を、また中間周壁２６の外周面（第２嵌合条３０の内周面）に第２係合条をそれぞれ形成しても構わない。
【００３８】
押下げヘッド３７は、頂板３８の外周部から外筒４０を、また貫通孔上方の頂板部分裏面から第１の連通管４２をそれぞれ垂下するとともに、この第１の連通管の内部と連通させたノズル４４を外筒４０の前壁から前方へ突出している。そして上記外筒４０の下部は、カバーリング１６の外周壁２４外面に螺合させている。また、上記第１の連通管４２は、上記貫通孔２０内を液密かつ摺動自在に嵌通し、下方へ突出している。
【００３９】
上記構成において、図１の状態では、装着キャップ４は連係筒１０を介してカバーリング１６に連係され、またカバーリングは押下げヘッド３７に嵌合されているから、これらパーツは、１つのモジュールとして一体的に取り扱うことが可能である。
【００４０】
図６はポンプ部側モジュールの構成を示している。このポンプ部側モジュール５０は、同図に示す如くポンプシリンダ５２と、管状部材６４と、抜止め手段７６とを有する。
【００４１】
上記ポンプシリンダ５２は、その下端から吸込み弁５４を介して吸込み管５６を垂下するとともに、ポンプシリンダの上部外面から、容器体の口頸部上端面への係止用の鍔部５８を外方へ突出している。鍔部５８よりも上方へは、ポンプシリンダの上端部５２ａを嵌合部内への嵌合筒として延長している。この上端部の外面には、上記カバーリングの中間周壁下半部２６ａに圧接するための当接リブ６０を横設している。なお、前記鍔部５８の下面には容器体への組み付け時に容器体口頸部上端面に当接シールするパッキンが配置されている。
【００４２】
上記管状部材６４は、筒状のピストン部６６からステム兼用の第２の連通管６８を起立している。上記ピストン部６６とポンプシリンダ５２の底部との間にスプリングを介装している。また第２の連通管６８の中間部やや下寄りには第１上向き段部７０を、第２の連通管の上部外面には第２上向き段部７１をそれぞれ周設している。さらに第２の連通管６８の上部には吐出弁７２を形成する。図示の吐出弁は玉弁であり、弁座と管状部材の上端内面に周設した横リブとの間で動くように形成している。
【００４３】
上記抜止め手段７６は、本実施形態では抜止め筒であり、ポンプシリンダの上部内面に嵌着された筒本体の内面から縦断面逆Ｌ字形の係止片７８を突出し、この係止片を図６に示す如く上記管状部材６４の第１上向き段部７０に係止している。
【００４４】
上記構成において、図６の状態では、抜止め手段７６がスプリング力に抗して管状部材６４の抜け出しを防止しているから、ポンプシリンダ５２及び管状部材６４は、モジュール化されている。このモジュール化状態で、ポンプの機能を確認することができる。
【００４５】
図７は、ヘッド部側モジュール及びポンプ部側モジュールで構築される吐出ポンプを示している。
【００４６】
図６のポンプ部側モジュール５０の上部に図１のヘッド部側モジュール２の下面を合わせて、押し下げると、まず第１の連通管４２が第２の連通管６８の外面に嵌挿され、第２上向き段部７１に突き当たる。さらにヘッド部側モジュール２を押し下げると、管状部材６４はポンプシリンダ５２内を下降していき、図７に示す如くポンプシリンダの上端部５２ａが上述の凹状の第１嵌合条２８内に圧入され、嵌着される。これにより吐出ポンプとして完成する。
【００４７】
この吐出ポンプを容器体に取り付けるときには、図７に想像線で示す容器体の口頸部Ｎの外面へ装着筒６を螺進させる。このとき装着キャップ４の連係筒１０がカバーリング１６に対して回動可能であり、かつ上下方向にも多少の上下動が可能であるから、カバーリングと装着筒とが連係したままで、装着筒のみを自由に回転させ、口頸部に螺合させることができる。螺合が完了すると、口頸部Ｎの上端面と内向きフランジ８との間に鍔部５８を挟持することでポンプシリンダを容器体に支持させることができる。
【００４８】
図８及び図９は、本発明の第２実施形態に係るヘッド部側モジュール２を示している。第１実施形態と同じ構成については説明を省略する。本実施形態では、中間周壁２６の外面と外周壁２４及び拡径筒２５の各内面との間に、嵌合凹溝である第２嵌合条３０である条溝を形成している。図示例では外周壁２４下端から垂下する縦筒３３により、上記第２嵌合条は、内溝部３０ａ及び外溝部３０ｂに分割されている。また本実施形態では、連係筒を内向きフランジ８の外周から起立する内筒１０Ａと、内向きフランジ８の外周から起立する外筒１０Ｂとで形成している。この外筒１０Ｂの上部外面には第１係合条１１を、また拡径筒２５の下部内面には第２係合条３４をそれぞれ周設し、両係合条が係合することで第２嵌合条からの連係筒１０の脱落を防止している。第２係合条３４と外向きフランジ２５ａとの間には凹所３５が形成されており、この凹所内を上記第１係合条１１が昇降可能としている。
【００４９】
図１０及び図１１は、本発明の第３実施形態に係るヘッド部側モジュール２を示している。この実施形態では、図１１に示す如く、外周壁２４の下端から真直ぐ垂下する縦筒３３と、外周壁２４の下端から外向きフランジ２５ａを介して垂下する拡径筒２５との間に、第２嵌合条３０を形成している。また第１実施形態に比べて内向きフランジ８を短くして、この内向きフランジ内周から起立する連係筒１０を上記第２嵌合条３０内に挿入している。また上記縦筒３３の外面下部には凸状の第２係合条３４を横設し、この第２係合条の上に係止できるように連係筒１０の内面下部に凸状の第１係合条１１を横設する。好適な図示例では、その係止状態で連係筒１０の上端と外向きフランジ２５ａの下面との間、及び拡径筒の下端と装着キャップ４上面との間にはそれぞれ間隙を設けている。また、連係筒１０の外面は拡径筒２５の内面に回動可能に当接している。
【００５０】
本実施形態では、外周壁２４の下方に第２嵌合条３０である嵌合凹溝を形成している。第１の実施形態に比べれば嵌合凹溝の深さをあまり大きくすることはできないが、連係筒１０は、カバーリング１６から装着キャップ４が外れない程度にゆるく連係していればたり、その機能は本実施形態の構成でも十分に実現できる。なお、図示のように縦筒３３と拡径筒２５とが連係筒１０を挟んで嵌合凹溝内からの連係筒の脱落を防止するようにすると一層好適である。
【００５１】
図１２及び図１３は、本発明の第４実施形態に係るヘッド部側モジュール２を示している。本実施形態では、第２嵌合条３０を下方への嵌合凸条に形成している。好適な図示例では、第２嵌合条として、上記外周壁２４の下端から縦筒３３を垂下している。この縦筒３３の外周面には、内向きフランジ内周から起立する連係筒１０を回動及び上下動可能に当接している。縦筒３３の外周面の下部には、第２係合条３４である凹条が横設してあり、この凹条内へ、連係筒の下部に付設した凸状の第１係合条１１を昇降可能に突入させている。第２係合条は下端に平坦な係止端面を有し、装着キャップを確実に係止できるようにしている。なお、図示例と異なり、外周壁から外向きフランジ２５ａを介して垂下する拡径筒２５を第２嵌合条３０とし、拡径筒の内面に連係筒１０を嵌合させてもよい。
【００５２】
本実施形態では、外周壁から垂下する縦筒３３だけで連係筒１０を支持している。このため縦筒３３を連係筒を確実に係止できる程度に肉厚に形成することが望ましい。
【００５３】
図１４及び図１５は、本発明の第５実施形態に係るヘッド部側モジュール２を示している。本実施形態は、第４実施形態の変形例であり、連係筒１０の内面には第１係合条１１を、また縦筒３３の外面には第２係合条３４をそれぞれ横設し、第２係合条３４の上に第１係合条１１を係止するように形成している。また内向きフランジ８は連係筒１０の起立箇所から内方へ延長し、その延長部分８ａの上に縦筒３３の下端面を圧接可能に形成する。
【符号の説明】
【００５４】
２…ヘッド部側モジュール  ４…装着キャップ  ６…装着筒  ８…内向きフランジ
８ａ…延長部分  １０…連係筒  １０Ａ…内筒  １０Ｂ…外筒  １１…第１係合条
１６…カバーリング  １８…天板  ２０…貫通孔  ２２…内周壁  ２４…外周壁
２５…拡径筒  ２５ａ…外向きフランジ  ２６…中間周壁  ２６ａ…同下半部
２６ｂ…同上半部  ２８…第１嵌合条  ３０…第２嵌合条  ３０ａ…内溝部
３０ｂ…外溝部  ３２…補助壁  
３３…縦筒  ３４…第２係合条  ３５…凹所  ３７…押下げヘッド  ３８…頂板
４０…外筒  ４２…第１の連通管  ４４…ノズル
５０…ポンプ部側モジュール  ５２…ポンプシリンダ  ５２ａ…同上端部
５４…吸込み弁  ５６…吸込み管  ５８…鍔部  ６０…当接リブ
６４…管状部材  ６６…ピストン部  ６８…第２の連通管  ７０…第１上向き段部
７１…第２上向き段部  ７２…吐出弁  ７６…抜止め手段  ７８…係止片
【図１】
2011025998.tif 000003
【図２】
2011025998.tif 000004
【図３】
2011025998.tif 000005
【図４】
2011025998.tif 000006
【図５】
2011025998.tif 000007
【図６】
2011025998.tif 000008
【図７】
2011025998.tif 000009
【図８】
2011025998.tif 000010
【図９】
2011025998.tif 000011
【図１０】
2011025998.tif 000012
【図１１】
2011025998.tif 000013
【図１２】
2011025998.tif 000014
【図１３】
2011025998.tif 000015
【図１４】
2011025998.tif 000016
【図１５】
2011025998.tif 000017